(57)【特許請求の範囲】
【請求項１】
マットレスを載置することができ且つ２トン以上の積載強度を持つベッド架台と、このベッド架台の内部に区画され、架台の長手側の側部に設けた出入り口を通して人が避難可能であり且つ避難した人が少なくとも寝返りがうてる大きさを持つシェルタと、ベッド架台の短手側の側部の内側にシェルタに隣接して区画された引き出し収容空間と、上記引き出し収容空間からベッド架台の外部へ引き出し自在な引き出しとを備え、上記引き出しは、引き出し収容空間に収容された状態でシェルタに臨む開口を有していることを特徴とする震災避難用シェルタ付きベッド。
【請求項２】
請求項１記載の震災避難用シェルタ付きベッドにおいて、上記引き出しには、少なくとも水、食料及び懐中電燈を含む避難生活必需品が収容されていることを特徴とする震災避難用シェルタ付きベッド。
【請求項３】
請求項１又は２記載の震災避難用シェルタ付きベッドにおいて、シェルタ内には、電源コンセントが備えられていることを特徴とする震災避難用シェルタ付きベッド。
【請求項４】
請求項１ないし３の何れかに記載の震災避難用シェルタ付きベッドにおいて、シェルタ内には、シェルタ内に人がいることを外部に知らせるための報知手段が備えられていることを特徴とする震災避難用シェルタ付きベッド。
【請求項５】
請求項１ないし４の何れかに記載の震災避難用シェルタ付きベッドおいて、シェルタ内には、持ち運び自在な手動式ジャッキが備えられていることを特徴とする震災避難用シェルタ付きベッド。
【発明の詳細な説明】
【０００１】
【産業上の利用分野】
本発明は、震災避難用シェルタ付きベッドに関する。
【０００２】
【従来の技術】
１９９５年１月１７日の阪神大震災では、建物が倒壊したり、倒れてきた家具の下敷きとなったりして、多くの犠牲者が出た。
従来、学校等では、生徒に対して、地震の際に机や食卓の下に避難することを教えていた。
【０００３】
【発明が解決しようとする課題】
しかしながら、机や食卓は、重量物を載せて壊れないほどに十分な強度は確保されていないため、安心できない。
そこで、地震の際に安全に避難できるような避難場所が、建物内のどこかにあれば安心であるが、そのようなスペースを、建物内の生活空間に確保するとなると、日常生活の邪魔になるおそれがある。
【０００４】
ところで、病院、老人ホーム及び養護施設等の施設では、通常、ベッドが配置されており、また、一般家庭においても、かなりの割合でベッドが使用されている。
本願発明者は、避難空間に利用できるものとして、上記ベッドの下方の空間に着目した。本発明は上記着目に鑑みてなされたものであり、日常生活の邪魔にならず、生活空間内に安全に避難できる場所を確保できる震災避難用シェルタ付きベッドを提供することである。
【０００５】
【課題を解決するための手段】
上記課題を解決するため、請求項１の発明に係る震災避難用シェルタ付きベッドは、マットレスを載置することができ且つ２トン以上の積載強度を持つベッド架台と、このベッド架台の内部に区画され、架台の長手側の側部に設けた出入り口を通して人が避難可能であり且つ避難した人が少なくとも寝返りがうてる大きさを持つシェルタと、ベッド架台の短手側の側部の内側にシェルタに隣接して区画された引き出し収容空間と、上記引き出し収容空間からベッド架台の外部へ引き出し自在な引き出しとを備え、上記引き出しは、引き出し収容空間に収容された状態でシェルタに臨む開口を有していることを特徴とするものである。
【０００６】
請求項２の発明に係る震災避難用シェルタ付きベッドは、請求項１記載の震災避難用シェルタ付きベッドにおいて、上記引き出しには、少なくとも水、食料及び懐中電燈を含む避難生活必需品が収容されていることを特徴とするものである。
請求項３の発明に係る震災避難用シェルタ付きベッドは、請求項１又は２記載の震災避難用シェルタ付きベッドにおいて、シェルタ内には、電源コンセントが備えられていることを特徴とするものである。
【０００７】
請求項４の発明に係る震災避難用シェルタ付きベッドは、請求項１ないし３の何れかに記載の震災避難用シェルタ付きベッドにおいて、シェルタ内には、シェルタ内に人がいることを外部に知らせるための報知手段が備えられていることを特徴とするものである。
請求項５の発明に係る震災避難用シェルタ付きベッドは、請求項１ないし４の何れかに記載の震災避難用シェルタ付きベッドおいて、シェルタ内には、持ち運び自在な手動式ジャッキが備えられていることを特徴とするものである。
【０００８】
【作用】
請求項１記載の発明の構成によれば、地震発生時や地震発生のおそれのあるときに、ベッド架台内に設けられたシェルタ内に逃げ込むことができる。ベッド架台は、十分な積載強度を持っているので、仮に天井等が落下してきても壊れない。また、シェルタ内で寝返りがうてるので、仮に長時間シェルタ内にいても疲れない。さらに、引き出し収容空間に収容された引き出しは、その開口をシェルタ内に臨ませているので、引き出しに収容された被収容物をシェルタ側から取り出すことができ、したがって、シェルタ内にこもったままで、生活することができる。
【０００９】
請求項２記載の発明の構成によれば、上記引き出しから、水、食料等の避難生活必需品を取り出せるので、シェルタ内での長時間の生活に耐え得る。
請求項３記載の発明の構成によれば、シェルタ内に電源コンセントを備え付けたので、例えばテレビ等の家電製品を予めシェルタ内に備えておけば、停電にならない限り、これを使用することができる。
【００１０】
請求項４記載の発明の構成によれば、報知手段によって、シェルタ内に人がいること外部に知らせることができる。したがって、建物が倒壊して建物内部に閉じ込められたとしても、これを外部へ確実に知らしめ、早期の救出を実現することができる。
請求項５記載の発明の構成によれば、手動式ジャッキが備えられているので、万一ベッド架台の一部が下方へ撓んできたような場合、手動式ジャッキを用いてこれを支えることができる。
【００１１】
【実施例】
以下、添付図面を参照しつつ本発明の好ましい実施例について詳述する。
図１は本発明の一実施例に係る震災避難用シェルタ付きベッド（以下、単にベッドという）の概略側面図であり、図２はベッドの模式的斜視図であり、図３はベッド架台の概略分解斜視図である。図１を参照して、本ベッドは、マットレス１と、このマットレス１を載置するベッド架台２と、このベッド架台２内に設けられ人Ｈが避難可能なシェルタ３と、ベッド架台２の一端側の引き出し収容空間６から引き出し自在な複数の引き出し４Ａ，４Ｂ，４Ｃ（総称して言うときには、単に引き出し４という）とを主に備えている。
【００１２】
図２を参照して、シェルタ３内において、頭部側となる一の支柱２４には、電源コンセント９が取り付けられている。また、シェルタ３内の頭部側空間の所定位置に区画されたジャッキ置き場１０Ａには、油圧式の手動式ジャッキ１０が備えられていると共に、シェルタ３内に人Ｈがいること外部に知らせるための、報知手段としての笛１１が紐１１ａを付けて、ベッド架台２の一の支柱２４からぶら下げられている。なお、手動式ジャッキ１０として機械式のものを用いても良い。また、報知手段としては、上記の笛１１に限らず、拡声器やサイレン等を用いても良い。
【００１３】
図３を参照して、上記ベッド架台２は、主に金属製アングル材からなる要素材を組み合わせて枠状の構造を形成しており、要素材同士の連結は溶接又はねじ止めにより行なわれている。具体的には、ベッド架台２は、４本のアングル材により構成される矩形状の上枠部材２１と、この上枠部材２１の各要素材を縦横に連結したアングル材及び平板材からなる補強部材２２と、４本のアングル材により構成される下枠部材２３と、上下の枠部材２１，２３同士を連結した複数の支柱２４とを有している。
【００１４】
ベッド架台２の積載強度は、２トン以上であることが好ましい。このベッド架台２の積載強度を高くした場合、必然的にベッド架台２が重くなる。上から崩れてくることに対しては、積載強度が高いほど良いが、床強度を考慮すれば、積載強度をむやみに高くしてベッド架台２の重量を重くするわけにはいかない。そこで、ベッド架台２の積載強度は、床強度との兼ね合いで決定されている。
【００１５】
ベッド架台２の一側部の中央には、アングル材を設けていない。これにより、ベッド架台２の一側部に、シェルタ３への出入り口５が確保されている。
また、ベッド架台２の高さは、シェルタ３に避難した人Ｈが少なくとも寝返りがうてる程度の高さに設定することが好ましく、このため、ベッド架台２の高さとしては、通常のベッドよりもやや高めの６０ｃｍ以上にすることが好ましい。
【００１６】
シェルタ３内の床面上には、薄手で断熱性に優れた、発泡シート等からなるマット（図示せず）が予め敷かれている。
図１及び図３を参照して、上記の引き出し４は、シェルタ３と隣接して設けられた引き出し収容空間６に配置されている。引き出し収容空間６には、引き出し４の挿抜を案内する案内レール７が設けられている。
【００１７】
図４及び各引き出し４を、シェルタ３側から見た概略図である図５（図５ではベッド架台の図示は省略してある）を参照して、引き出し４は、上方及び後方に開放した開口４７を有する箱状をしている。引き出し４は、指入れ孔４６を有する前板４１と、挿抜方向に平行な一対の側板４２と、前板４１の略１／３程度の高さを持つ後板４３と、底板４４とを有している。一対の側板４２は、後方にいくにしたがって、漸次に低くされており、側板４２の最後部の高さは後板４３の高さに揃えられている。このように後板４３の高さを低くすることにより、図１に示すように、引き出し４の開口４７は、引き出し収容空間６に収容された状態で、シェルタ４に臨むことになる。したがって、引き出し４に収容された物を、シェルタ３側から開口４７を通して容易に取り出すことができる。
【００１８】
図４を参照して、引き出し４の一対の側板４２には、上記案内レールに嵌め合わされる板状のスライダ４５がそれぞれ取り付けられている。一方、案内レール７は、スライダ４５を前後にスライド自在に案内する溝部７１を有している。また、案内レール７の溝部７１は、一端が行き止まりとなっており、収容時の引き出し４の停止位置を位置決めする。
【００１９】
図５を参照して、一の引き出し４Ａ内には、水入りのペットボトル８ａ、ビスケット等の食料品８ｂ及び懐中電燈８ｃを含む避難生活必需品８が少なくとも収容されている。上記避難生活必需品８には、携帯ラジオ等が含まれていることが望ましい。また、別の引き出し４Ｂ内には、預金通帳や家の権利書等の重要書類を入れたザック１２が収容されている。また、別の引き出し４Ｃ内には、建物内に閉じ込められた状態から脱出する際に利用するための、鋸１３、ハンマー１４及びスコップ１５等の用具が収容されている。
【００２０】
本実施例によれば、いざというときにベッド架台２内に設けられたシェルタ３内に逃げ込むことができる。みじかな場所に避難できるスペースが確保されているので、非常な安心感が得られる。また、元々あって通常あまり利用されていない、ベッドの下のスペースを有効利用してシェルタ３を設けているので、日常利用しているスペースを狭めるようなことがなく、何ら日常生活の邪魔にならない。ベッド架台２は、十分な積載強度を持っているので、仮に天井等が落下してきても壊れない。また、シェルタ３内で寝返りがうてるので、仮に長時間シェルタ３内にいても疲れない。さらに、引き出し４に収容された物品等をシェルタ３内から容易に取り出すことができるので、シェルタ３内にこもったままで、生活することができる。
【００２１】
特に、上記引き出し４から、水、食料等の避難生活必需品８を取り出せるので、シェルタ３内での長時間の生活に耐え得る。
さらに、シェルタ３内に電源コンセント９を備え付けたので、予めシェルタ３内に収容しておけば、例えばテレビやラジオ等の家電製品を使用することができる。
【００２２】
加えて、笛１０によって、シェルタ３内に人Ｈがいること外部に知らせることができる。したがって、建物が倒壊して建物内部に閉じ込められたとしても、このことを外部にいる人に確実に知らしめ、早期の救出を実現することができる。
また、ポータブルな手動式ジャッキ１１が備えられているので、例えば、ベッド架台２の一部が下方へ撓んできたような場合において、手動ジャッキ１１を用いてこれを支えることができるので、安心である。
【００２３】
なお、上記実施例では、アングル材等を組み合わせてベッド架台を形成したが、例えば、パネルを組み合わせた構造とすること等、本発明の特許請求の範囲で種々の変更が可能である。
【００２４】
【発明の効果】
請求項１記載の発明の構成によれば、ベッドの下というみじかな位置にシェルタが確保されており、いざというときにはシェルタ内に逃げ込むことができるので、非常な安心感を得ることができる。また、ベッドの下を利用してシェルタを設けているので、何ら日常生活の邪魔とならない。さらに、ベッド架台は、十分な積載強度を持っているので、仮に天井等が落下してきても壊れない。また、シェルタ内で寝返りがうてるので、仮に長時間シェルタ内にいても疲れない。加えて、シェルタ内にいて、引き出しから必要なものを取り出すことができるので、シェルタ内にこもったままで、ある期間の間、生活することができる。
【００２５】
請求項２記載の発明の構成によれば、上記引き出しから、水、食料等の生活必需品を取り出せるので、シェルタ内での長時間の生活に耐え得る。
請求項３記載の発明の構成によれば、シェルタ内に電源コンセントを備え付けたので、停電になりさえしなければ、シェルタ内に予め収容しておいた例えばテレビ等の家電製品を使用することも可能である。
【００２６】
請求項４記載の発明の構成によれば、報知手段によって、シェルタ内に人がいること外部に知らせることができる。したがって、建物が倒壊して建物内部に閉じ込められたとしても、これを外部にいる人に確実に知らしめることができる結果、早期の救出を実現することができる。
請求項５記載の発明の構成によれば、手動式ジャッキが備えられているので、万一、ベッド架台の一部が下方へ撓んできたような場合、手動ジャッキを用いてこれを支えることができる。
【図面の簡単な説明】
【図１】本発明の一実施例に係る震災避難用シェルタ付きベッドの概略側面図である。
【図２】その内部構成を示す模式的斜視図である。
【図３】ベッド架台の概略分解斜視図である。
【図４】引き出し及び案内レールの概略斜視図である
【図５】シェルタ側から見た引き出しの概略斜視図である。
【符号の説明】
１      マットレス
２      ベッド架台
３      シェルタ
４（４Ａ，４Ｂ，４Ｃ）    引き出し
５      出入り口
６      引き出し収容空間
８      避難生活必需品
８ａ    ペットボトル
８ｂ    食料品
８ｃ    懐中電燈
９      電源コンセント
１０    笛（報知手段）
１１    手動式ジャッキ
Ｈ      人
【図１】
0003693703.tif 000002
【図２】
0003693703.tif 000003
【図３】
0003693703.tif 000004
【図４】
0003693703.tif 000005
【図５】
0003693703.tif 000006